(57)【要約】  特に天然ガスの配給、輸送、管理輸送において、液体の予備気化を防ぎ、不完全な気化によるシステムの損傷に起因するダウンタイムを回避することによって、実質的に効率的で、完全で、均一な液体サンプルの単一流路による気化を通じて、正確なサンプリングを提供するための気化器装置（１００）及び関連する方法を提供する。気化器装置（１００）は、液体サンプルを受け入れる少なくとも１つの入口ポート（１０４）と、液体を気化器コア（１３０）に導くチャネル（１２０）と、液体サンプルをフラッシュ蒸留させるように構成された気化器コア（１３０）内の加熱アセンブリ（１３１、１３２、１３３）と、を含む。次に、気化したサンプルは、サンプル分析のために出口（１１８）に送ることができる。【選択図】図１Ｅ
2022500664.tif 000002
【特許請求の範囲】
【請求項１】
多成分炭化水素含有液体混合物を気化させるための気化器であって、
第１の端部を画定する第１のセグメントと第２の端部を画定する第２のセグメントとを有する概ね細長い管状本体と、
前記第１のセグメント内に一体的に形成された液体通路に接続された液体サンプルポートであって、前記第１液体ポートが液体流入を実現する、液体サンプルポートと、
前記気化器の中心軸に沿ってほぼ長手方向に配置され、実質的に前記管状本体の伸長方向に延びる液体チャネルであって、第１の端部と第２の端部とを有し、前記液体チャネルの前記第１の端部が、前記液体通路と交差し、前記液体サンプルポートからその長さに沿って液体が通る流路を提供する、液体チャネルと、
前記管状本体の前記第１のセグメント内に配置され、前記液体チャネルと交差するように構成された液体流れ制御要素と、
前記管状本体の外面に形成され、前記外面から延びるギャップであって、前記液体チャネルに向かって内側に向けられ、前記液体チャネルの前記長さに沿って配置されたほぼ非平行な表面を画定するギャップと、
前記管状本体の第２の端部の内側にあり、前記管状本体の第２の端部から前記液体チャネルの第２の端部まで延びる気化器コアと、
前記気化器コアに挿入されるように寸法決めされ、前記管状本体に密封固定可能な加熱アセンブリであって、前記液体チャネルから導入された液体を気化させるフラッシュ蒸留発熱体を有する加熱アセンブリと、
前記管状本体の前記第２のセグメント内に形成され、前記管状本体の前記第２の端部から離隔し、前記気化器コアと交差する蒸気吐出口ポートと、を含む、
ことを特徴とする気化器。
【請求項２】
前記本体が円筒形であり、前記第１のセグメントが前記第２のセグメントの上方に配置された上部セグメントであることを特徴とし、さらに前記円筒形本体が、前記第１のセグメント内に一体的に形成された前記液体通路に接続され、液体吐出を可能にする第２の液体サンプルポートと、前記ギャップ内に配置された断熱材とを有することを特徴とする請求項１に記載の気化器。
【請求項３】
前記ギャップの前記ほぼ非平行な表面が、平坦かつ平面状のテーパ状であり、前記液体サンプルポートと前記第２の液体サンプルポートとが、互いに対して直交して配置される、ことを特徴とする請求項２に記載の気化器。
【請求項４】
前記第２のセグメントから前記第１のセグメントへの熱伝達を最小限に抑えるために、前記断熱材内の液体流体管に近接する液体取り出し部によって確立される能動的冷却回路をさらに含むことを特徴とする請求項２又は３のいずれかに記載の気化器。
【請求項５】
前記液体サンプルポートが前記円筒形本体の軸に沿って配置されることを特徴とする請求項１〜４のいずれかに記載の気化器。
【請求項６】
多成分炭化水素含有液体混合物を気化させるための気化器装置であって、
本体と、
前記本体を通って液体サンプルを受け入れるように構成された１つ以上のポートと、
前記１つ以上のポートから前記液体サンプルを受け入れるように構成されたチャネルと、
前記本体の外側に形成され、前記チャネルを径方向に取り囲み、断熱材を受け入れて保持するように構成された凹テーパ状断熱ギャップと、
前記本体内に固定され、前記チャネルを出る前記液体サンプルを気化させるように構成された加熱アセンブリと、
前記気化した液体サンプルを送出するように構成された出口と、を含む
ことを特徴とする気化器装置。
【請求項７】
前記加熱アセンブリが、発熱体と、前記発熱体を囲む金属ハウジングとを含むことを特徴とする請求項６に記載の装置。
【請求項８】
前記発熱体が金属シース内に封入されていることを特徴とする請求項７に記載の装置。
【請求項９】
前記金属ハウジングが少なくとも部分的に金属メッシュによって囲まれていることを特徴とする請求項７又は８に記載の装置。
【請求項１０】
前記凹テーパ状断熱ギャップに絶縁材料が充填されていることを特徴とする請求項６〜９のいずれかに記載の装置。
【請求項１１】
前記絶縁材料が、アルミナシリケート、ケイ酸カルシウム及び発泡セラミックスからなる群から選択されることを特徴とする請求項１０に記載の装置。
【請求項１２】
前記凹テーパ状断熱ギャップが、前記チャネルに向かって内側に先細になっていることを特徴とする請求項６〜１１のいずれかに記載の装置。
【請求項１３】
前記チャネルと交差して、前記チャネルに入る前記液体サンプルの流れを制御するように構成された液体流れ制御要素をさらに含むことを特徴とする請求項６〜１２のいずれかに記載の装置。
【請求項１４】
前記加熱アセンブリが、気化器コア内に固定され、前記気化器コアは、前記本体内に形成された開口であり、前記加熱アセンブリよりも径方向及び軸方向の長さが大きく、それにより、前記チャネルから、前記加熱アセンブリの外面と前記本体の内面との間の領域及び前記出口までの液体流路を形成することを特徴とする請求項６〜１３のいずれかに記載の装置。
【請求項１５】
前記凹テーパ状断熱ギャップが、ポートからの液体の取り出しによって冷却される冷却回路を含むことを特徴とする請求項６〜１４のいずれかに記載の装置。
【請求項１６】
前記加熱アセンブリが、前記気化器装置の前記出口ポートと整列するように構成された温度センサを含み、前記温度センサが、前記出口ポートにおいて前記気化した液体サンプルの温度を示すことを特徴とする請求項６〜１５のいずれかに記載の装置。
【請求項１７】
前記温度センサがサーモウェル内部に固定され、前記加熱アセンブリの軸方向長さに平行であることを特徴とする請求項１６に記載の装置。
【請求項１８】
前記温度センサが、前記加熱アセンブリからの突出部内に斜めに形成されたサーモウェル内に固定されていることを特徴とする請求項１６に記載の装置。
【請求項１９】
多成分炭化水素含有液体混合物を気化させる方法であって、
気化装置の本体内の少なくとも１つのポートを介して液体サンプルを前記気化装置に受け入れるステップと、
受け入れた前記液体サンプルを前記気化装置内のチャネル内に選択的に導くステップと、
ほぼテーパ状の非平行な表面によって画定される凹テーパ状断熱ギャップを通して、前記チャネル内の前記液体サンプルを選択的に導いて熱反射損失を改善し、前記少なくとも１つのポートと気化器コアとの間に配置された断熱ギャップを確立して、前記気化器コアから前記少なくとも１つのポートへの熱移動を最小限に抑えるステップと、
前記チャネルを出る前記液体サンプルを、前記液体サンプルをフラッシュ蒸留させるための加熱アセンブリを有する前記気化器コアに選択的に導くステップと、
前記気化した液体サンプルを、前記気化装置から出口を通して送出するステップと、を含む、
ことを特徴とする方法。
【請求項２０】
液体流れ制御要素を使用して前記第１の管を通る液体の流れを制御するステップをさらに含むことを特徴とする請求項１９に記載の方法。
【発明の詳細な説明】
【技術分野】
【０００１】
本発明は、一般的に、異種の炭化水素含有液体、特に液体天然ガス（ＮＧＬ）及び低温液化天然ガス（ＬＮＧ）などの天然ガス液を効率的に気化させるための装置及び方法に関する。本発明は、サンプルの構成成分又はエネルギー含有量を正確に決定するための均一なサンプル蒸気を提供するために供給源から抽出された液体サンプルの、予備気化を行わずに均一にフラッシュ蒸留するのに特に有用である。
【背景技術】
【０００２】
このＰＣＴ国際出願は、２０１８年９月２４日に出願された米国出願第６２／７３５，３７５号に対して優先権を主張する、２０１９年８月１６日に出願された米国出願第１６／５４２，６６６号に対して優先権を主張するものであり、それぞれの全体が参照により本明細書に組み込まれるものとする。
【０００３】
天然ガスは、いくつかの異なる炭化水素化合物の可燃性ガス状混合物であって、現在、多孔質岩石内の地下貯留層から水圧破砕によって抽出されることが多い。天然ガスの炭化水素成分は、貯留層の地理的位置によって変化し、単一の供給源から抽出されたガスの組成が変化する可能性がある場所で、局所的にも変化する。しかしながら、変化に関係なく、天然ガスの主成分は、無色、無臭、ガス状の飽和炭化水素であるメタンである。メタンは、通常、任意の天然ガスサンプルの８０％〜９５％を占め、残りの成分は、異なる量のエタン、プロパン、ブタン、ペンタン、及びその他の炭化水素化合物で構成される。一部の抽出された天然ガスは、検出及び除去が必要な少量の不純物で汚染されている可能性がある。酸性ガスは、水銀（Ｈｇ）、硫化水素（Ｈ２Ｓ）、硫化カルボニル（ＣＯＳ）、メルカプタン（ＲＳＨ）など、及びＢＴＥＸ（ベンゼン、トルエン、エチルベンゼン、キシレン）として知られる群からのものを含む芳香族化合物などの微量汚染物質を含み得る。
【０００４】
天然ガスは、住宅、商業、産業用途で広く使用されている。天然ガスを使用する米国の家庭の半数以上で家庭暖房に使用されている主要なエネルギーである。発電及び輸送用燃料としても、天然ガスの使用が急速に増加している。
【０００５】
天然ガスは、商業上、含有するエネルギーの量によって測定される。米国で普遍的な測定単位は、英国熱量単位（ＢＴＵ）である。１ＢＴＵは、大気圧で１ポンドの水の温度を華氏１度分上昇させるのに必要な熱量に相当する。１立方フィートの天然ガスは、約１，０２７ＢＴＵ（１０８３．５４キロジュール（ｋＪ））を有する。天然ガスは、通常、坑口、すなわちガスが土地から抽出される地点から購入者へ、数千立方フィート（Ｍｃｆ）の標準的な体積測定値で販売される。しかしながら、消費者への請求書は、通常、熱容量又はサームで測定される。１サームは、１００，０００ＢＴＵ（１０５，５０５．５９ｋＪ）に等しい熱の単位である。
【０００６】
坑口から消費者への天然ガスの輸送には、天然ガス産業の３つの分離した、多くの場合独立した部門が、関与している。生産会社は、地下から天然ガスを探査・掘削・抽出し、配送会社はガス田と主要な消費地を結ぶパイプラインを運営し、配給会社は天然ガスを顧客に輸送する地域の公益事業体である。
【０００７】
天然ガスは、米国だけでも１００万マイルを超えて延びる地下パイプのネットワークを通じて、２億人近くの消費者に輸送されている。この天然ガスを生産して輸送するために、５０州全てにガスサービスを提供する２５万を超える天然ガス井戸、１００を超える天然ガスパイプライン会社及び１，０００を超える地域配給会社（ＬＤＣ）がある。
【０００８】
パイプライン会社は、生産者又は販売業者などの売り手から、電気公共事業、工場、ＬＤＣなどの買い手にガスを輸送する。ＬＤＣは、天然ガスの様々な売り手の中から選択でき、顧客は、ＬＤＣサプライヤを選択できる。消費者のＬＤＣは、配給ネットワークの所有者／運営者として消費者にガスを輸送するが、ＬＤＣは、ガスの輸送料金のみを消費者に請求し、独立したサプライヤは、ガス料金を請求する。地下からの抽出時だけでなく、管理輸送の各段階でも、エネルギー含有量分析は購入者に重要な価値情報を提供する。
【０００９】
ガスサンプルコンディショニングの分野の重要な部分は、ガスパイプライン又は供給源からプローブを介して抽出された液体サンプルの気化プロセスに関する。液体サンプルが抽出されると、通常、気化及び圧力調整のために、取り出しプローブから直径が比較的小さいステンレス鋼などの耐食性超合金の管を通ってサンプルコンディショナへ送られ、最終的には分析のためにクロマトグラフなどの分析装置に送られる。
【００１０】
液体プローブの取り出し部と分析装置との間の距離は、多くの場合３０フィート（９．１４４メートル）を超え、１００フィート（３０．４８メートル）を超えることもある。典型的には、抽出された液体サンプルがプローブの近くで気化される場合、気化されたサンプルは、例えば２０００ｐｓｉｇ（１３７８９．５１ｋＰａ）の高圧で、プローブから、蒸気相を維持しながら、一般的な分析装置／クロマトグラフにとって許容可能な圧力である１０〜３０ｐｓｉｇ（６８．９ｋＰａ〜２０６．８ｋＰａ）のような比較的低圧ゾーンまで、大幅に減圧しながら、分析装置に物理的に移動する必要がある。このプロセスの間、凝縮形態の炭化水素露点降下のリスクを最小限に抑えるために、蒸気を蒸気相曲線付近の点まで冷却しないようにすることが重要である。
【００１１】
このような凝縮が発生すると、分析装置／クロマトグラフへの入口が液体で汚れる。このような液体の導入により、カラムブリードによって常にクロマトグラフィ充填材の完全性が損なわれ、クロマトグラフィ充填材が損傷を受け、良くてもゴーストピークからの誤った読み取り値が生成され、最悪の場合は分析装置が破壊されてしまう。その結果、クロマトグラフ分析装置に液体を導入すると、良くても誤った読み取り値に起因する経済的な損害が発生し、最悪の場合、汚染されたユニットを完全に交換するか、又は動作上許容可能な状態に復元するためにオフラインにすることにより、システムの動作効率の低下を引き起こす。
【００１２】
したがって、フラッシュ蒸留から分析時までの全期間にわたって、気化した液体サンプルの完全性を相変化なしに維持することが重要である。
【００１３】
特に炭化水素蒸気分析の場合、ガスサンプリングにおける炭化水素露点降下の問題が指摘されている。抽出されたパイプラインサンプルの露点降下又は相転移は、下流の分析装置／クロマトグラフ又は蒸気サンプル収集容器との連絡中に、気化後にサンプルガスが接触する圧力調整器、ガスライン、及びその他の構成要素の適切な気化後の加熱を維持することによって防止される。気化したサンプルの圧力及び温度を、その露点−相転移包絡線を超えて維持することで、サンプルがある範囲の蒸気凝縮線を有する成分の不均一な混合物を含むか、又はＬＮＧなどのより予測可能な相包絡線を有する実質的に均一な組成物を含むかに関わらず、蒸気ガスサンプルが液体に戻ることを防止する。
【００１４】
しかしながら、天然ガスサンプリングシステムは通常、例えば屋外周囲温度がガス露点温度を大幅に下回る可能性があり、危険な爆発しやすいガス蒸気が周囲大気に浸透することが多いなど、過酷な環境に配置される。したがって、使用する加熱機構は、ガスサンプルガスを大気にさらしたり放出したりすることなく、気化したサンプルガスが電気配線などにさらされることによる安全上の問題を回避しながら、周囲温度の低さを克服するのに十分な熱を発生させるために、厳しい基準に準拠する必要がある。
【００１５】
米国石油協会（ＡＰＩ）は、抽出されたサンプルの温度安定性を維持するために、触媒ヒータを使用して、パイプラインなどの供給源と分析装置との間で伝達されるガスサンプルの望ましくない温度変化を回避することを提案している。ＡＰＩが石油規格マニュアルで言及しているタイプの触媒ヒータは、システムの選択された部分の全体でサンプルガス流を加熱する必要があり、加熱されたサンプルは、その後許容圧力で分析装置内に導入される。適切なシステム熱安定性を達成するための１つの好ましいシステムは、ヒートトレースを使用することにより、取り出し部から分析装置へサンプルを送る間に、気化したサンプル経路の全長にわたって実質的に均一な温度維持を保証する。このような性能は、ウェストバージニア州レーブンズウッドのムスタングサンプリングＬＬＣから入手可能なＰ５３サンプルコンディショニングシステム、及びその全体が参照により本明細書に組み込まれる特許文献１に開示・記載されている実施形態を使用して達成される。
【００１６】
気化自体に関連する問題に目を向けると、液体天然ガス（ＮＧＬ）、特に低温ＬＮＧなどの低炭素数の炭化水素液体を加熱によって気化させる気化装置は、液体サンプル入口ポートの近くで温度勾配が発生する可能性がある。このように温度が気化熱を超える場合、液体サンプルの予備気化が生じる可能性がある。抽出された液体サンプルが気化器入口に近接し、加熱気化チャンバに到達する前に、部分的又は完全に気化した場合、気化器から出る気化したサンプルの完全性は、製品成分（軽質、中質、及び重質）が異なる時間に分離して気化器に入るため、望ましくない分割によって損なわれる可能性がある。このような分割又は分離は、一般的にエネルギー含有量及び組成分析の誤りにつながる。さらに、予備気化したサンプルが、気化チャンバに送り込まれる間に再凝縮を引き起こすその後の冷却又は減圧にさらされる場合、さらに望ましくない組成成層／分割が生じる可能性がある。また、気化器入口で予備気化が発生した場合、液体のガスへの膨張によってもたらされる冷却効果により、入口ポートの上流で外部の氷結が発生し、それによってサンプルの均一性及び完全性をさらに損なう熱異常を増大させることがある。
【００１７】
ガス田、配給システム、及び輸送中に展開可能な分析のために、抽出された天然ガスサンプルを気化させる現在受け入れられ一般的に使用されているシステム及び方法を改善する必要がある。特に天然ガスの配給、輸送、管理輸送において、液体の予備気化を防ぎ、不完全な気化によるシステムの損傷に起因するダウンタイムを回避する、実質的に効率的で、完全で、均一な液体サンプルの単一流路による気化を通じて、正確なサンプリングを保証する改善された気化器を提供することが望ましいであろう。
【先行技術文献】
【特許文献】
【００１８】
【特許文献１】米国特許登録公報７１６２９３３号
【発明の概要】
【発明が解決しようとする課題】
【００１９】
本発明の目的は、少なくとも本明細書で前述した問題を発生させず、ＬＮＧ又はＮＧＬをガス状の蒸気に変換するためのより効率的で信頼性が高い気化装置を提供できる装置、システム、及び方法を提供することである。
【００２０】
本発明のさらに別の目的は、装置内の付着物の形成につながるホットスポットの数を減らしながら、より良好な熱分布を提供する装置を提供することである。
【００２１】
本発明のさらに他の目的は、よりコンパクトで、より調整しやすく、機械的故障が生じにくく、同時に動作効率も実現する装置を提供することである。
【００２２】
本発明の別の目的は、異なる組成プロファイルを有する異なるタイプのＬＮＧ又はＮＧＬサンプルを効率的に気化させるための装置及び方法を提供することである。
【００２３】
本発明のさらに別の目的は、気化器自体及び／又は下流の分析装置に対する損傷を防止するために、気化器装置から出る蒸気サンプルの温度を監視して制御することである。
【００２４】
本発明のさらなる目的は、管理輸送に使用されるＢＴＵ値のより正確な測定を実現するために使用することができる装置、システム、及び方法を提供することである。さらに、酸性ガスサンプルからの望ましくない放出を監視して削減するために、当該装置、システム、及び方法を使用して、水銀（Ｈｇ）、硫化水素（Ｈ２Ｓ）、硫化カルボニル（ＣＯＳ）、メルカプタン（ＲＳＨ）、及びＢＴＥＸ（ベンゼン、トルエン、エチルベンゼン及びキシレン）などの芳香族化合物などの微量汚染物質を正確に測定することもできる。
【課題を解決するための手段】
【００２５】
本発明の例示的で非限定的な実施形態は、従来技術の液体気化及び測定システムに関連する前述の及び他の欠点を解消することができる。また、本発明は、必ずしも上記欠点を解消する必要がなく、本発明の例示的な非限定的な実施形態は、上記課題のいずれも解消できない場合がある。
【００２６】
上記及び他の目的を達成するために、本発明に係る実施形態は、多成分炭化水素含有液体混合物を気化させるための気化器を含み、該気化器は、第１の端部を画定する第１のセグメントと第２の端部を画定する第２のセグメントとを有する概ね細長い管状本体と、第１のセグメント内に一体的に形成された液体通路に接続された液体サンプルポートであって、第１液体ポートが液体流入を実現する液体サンプルポートと、気化器の中心軸に沿ってほぼ長手方向に配置され、実質的に管状本体の伸長方向に延びる液体チャネルであって、第１の端部と第２の端部とを有し、液体チャネルの第１の端部が液体通路と交差し、液体サンプルポートからその長さに沿って液体が通るための流路を提供する液体チャネルと、管状本体の第１のセグメント内に配置され、液体チャネルと交差するように構成された液体流れ制御要素と、管状本体の外面に形成され、当該外面から延びるギャップであって、液体チャネルに向かって内側に向けられ、液体チャネルの長さに沿って配置されたほぼ非平行な表面を画定するギャップと、管状本体の第２の端部の内側にあり、管状本体の第２の端部から液体チャネルの第２の端部まで延びる気化器コアと、気化器コアに挿入されるように寸法決めされ、管状本体に密封固定可能な加熱アセンブリであって、液体チャネルから導入された液体を気化させるフラッシュ蒸留発熱体を有する加熱アセンブリと、管状本体の第２のセグメント内に形成され、管状本体の第２の端部から離隔し、気化器コアと交差する蒸気吐出口ポートと、を含むことを特徴とする。
【００２７】
本発明は、本体が円筒形であり、第１のセグメントが第２のセグメントの上方に配置された上部セグメントであり、円筒形本体が、第１のセグメント内に一体的に形成された液体通路に接続され、液体吐出を実現する第２の液体サンプルポートと、ギャップ内に配置された断熱材とをさらに有する、ことを特徴とする前述の実施形態のさらなる実施形態を提供する。
【００２８】
本発明は、ギャップのほぼ非平行な表面が、平坦かつ平面状のテーパ状であり、液体サンプルポートと第２の液体サンプルポートとが、互いに対して直交して配置される、ことを特徴とする前述の実施形態のさらなる実施形態を提供する。
【００２９】
本発明は、第２のセグメントから第１のセグメントへの熱伝達を最小限に抑えるために、断熱材内の液体流体管に近接する液体取り出し部によって確立される能動的冷却回路をさらに含む、ことを特徴とする前述の２つの実施形態のうちいずれかのさらなる実施形態を提供する。
【００３０】
本発明は、前記液体サンプルポートは前記円筒形本体の軸に沿って配置される、ことを特徴とする前述の実施形態のうちいずれかのさらなる実施形態を提供する。
【００３１】
本発明のさらなる目的は、多成分炭化水素含有液体混合物を気化させるための気化器装置により達成され、当該装置は、本体と、当該本体を通って液体サンプルを受け入れるように構成された１つ以上のポートと、当該１つ以上のポートから液体サンプルを受け入れるように構成されたチャネルと、本体の外側に形成され、チャネルを径方向に取り囲み、断熱材を受け入れて保持するように構成された凹テーパ状断熱ギャップと、本体内に固定され、チャネルを出る液体サンプルを気化させるように構成された加熱アセンブリと、気化した液体サンプルを送出するように構成された出口と、を含む、ことを特徴とする。
【００３２】
本発明は、加熱アセンブリが、発熱体と、当該発熱体を囲む金属ハウジングとを含む、ことを特徴とする前述の実施形態のさらなる実施形態を提供する。
【００３３】
本発明は、発熱体が金属シース内に封入されている、ことを特徴とする前述の実施形態のさらなる実施形態を提供する。
【００３４】
本発明は、金属ハウジングが少なくとも部分的に金属メッシュによって囲まれている、ことを特徴とする前述の２つの実施形態のうちいずれかのさらなる実施形態を提供する。
【００３５】
本発明は、凹テーパ状断熱ギャップに絶縁材料が充填されている、ことを特徴とする前述の実施形態のうちいずれかのさらなる実施形態を提供する。
【００３６】
本発明は、絶縁材料が、アルミナシリケート、ケイ酸カルシウム及び発泡セラミックスからなる群から選択される、ことを特徴とする前述の実施形態のさらなる実施形態を提供する。
【００３７】
本発明は、凹テーパ状断熱ギャップがチャネルに向かって内側に先細になっている、ことを特徴とする前述の実施形態のうちいずれかのさらなる実施形態を提供する。
【００３８】
本発明は、チャネルと交差して、チャネルに入る液体サンプルの流れを制御するように構成された液体流れ制御要素をさらに含む、ことを特徴とする前述の実施形態のうちいずれかのさらなる実施形態を提供する。
【００３９】
本発明は、加熱アセンブリは、気化器コア内に固定され、気化器コアは、本体内に形成された開口であり、加熱アセンブリよりも径方向及び軸方向の長さが大きく、それにより、チャネルから、加熱アセンブリの外面と本体の内面との間の領域及び出口までの液体流路を形成する、ことを特徴とする前述の実施形態のうちいずれかのさらなる実施形態を提供する。
【００４０】
本発明は、凹テーパ状断熱ギャップが、ポートからの液体の取り出しによって冷却される冷却回路を含む、ことを特徴とする前述の実施形態のうちいずれかのさらなる実施形態を提供する。
【００４１】
本発明は、加熱アセンブリが、気化器装置の出口ポートと整列するように構成された温度センサを含み、当該温度センサが、出口ポートにおいて気化した液体サンプルの温度を示す、ことを特徴とする前述の実施形態のうちいずれかのさらなる実施形態を提供する。
【００４２】
本発明は、温度センサがサーモウェル内部に固定され、加熱アセンブリの軸方向長さに平行である、ことを特徴とする前述の実施形態のさらなる実施形態を提供する。
【００４３】
本発明は、温度センサが、加熱アセンブリからの突出部内に斜めに形成されたサーモウェル内に固定されている、ことを特徴とする前述の実施形態の直前の実施形態のさらなる実施形態を提供する。
【００４４】
本発明のさらなる目的は、多成分炭化水素含有液体混合物を気化させる方法によって達成され、当該方法は、気化装置の本体内の少なくとも１つのポートを介して液体サンプルを前記気化装置に受け入れるステップと、受け入れられた前記液体サンプルを前記気化装置内のチャネル内に選択的に導くステップと、ほぼテーパ状の非平行な表面によって画定される凹テーパ状断熱ギャップを通して前記チャネル内の前記液体サンプルを選択的に導いて熱反射損失を改善し、前記少なくとも１つのポートと気化器コアとの間に配置された断熱ギャップを確立して前記気化器コアから前記少なくとも１つのポートへの熱移動を最小限に抑えるステップと、前記チャネルを出る前記液体サンプルを、前記液体サンプルをフラッシュ蒸留させるための加熱アセンブリを有する前記気化器コアに選択的に導くステップと、前記気化した液体サンプルを、出口を通して前記気化装置から送出するステップと、を含む、ことを特徴とする。
【００４５】
本発明は、液体流れ制御要素を使用して第１の管を通る液体の流れを制御するステップをさらに含む、ことを特徴とする前述の実施形態のさらなる実施形態を提供する。
【図面の簡単な説明】
【００４６】
本発明の態様は、添付の図面を参照してその例示的で非限定的な実施形態を詳細に説明することによって、より容易に明らかになるであろう。
【００４７】
【図１Ａ】図１Ａは、本発明の一実施形態に係る気化器装置を示す斜視図である。
【図１Ｂ】図１Ｂは、本発明の一実施形態に係る気化器装置の上面図である。
【図１Ｃ】図１Ｃは、本発明の一実施形態に係る気化器装置の側面図である。
【図１Ｄ】図１Ｄは、本発明の一実施形態に係る、図１Ｅに示されるように透視して切断した気化器装置の２次元図である。
【図１Ｅ】図１Ｅは、本発明の一実施形態に係る気化器装置の斜視切取図である。
【図１Ｆ】図１Ｆは、本発明の一実施形態に係る気化器装置の斜視分解図である。
【図１Ｇ】図１Ｇは、本発明の一実施形態に係るワイヤメッシュの側面図である。
【図２Ａ】図２Ａは、本発明の一実施形態に係る、図１Ｃの二等分線に沿った能動的冷却要素を有する気化器装置の断面図である。
【図２Ｂ】図２Ｂは、本発明の一実施形態に係る図２Ａの気化器装置の斜視切取図である。
【図３Ａ】図３Ａは、本発明の一実施形態に係る、代替の能動的冷却要素を有する気化器装置の断面図である。
【図３Ｂ】図３Ｂは、本発明の一実施形態に係る図３Ａの気化器装置の斜視切取図である。
【図４Ａ】図４Ａは、本発明の一実施形態に係る、代替の計量弁を有する気化器装置の斜視切取図である。
【図４Ｂ】図４Ｂは、本発明の一実施形態に係る、角度の付いたサーモウェル及び関連する熱電対を有する図４Ａの気化器装置の斜視切取図である。
【図５Ａ】図５Ａは、本発明の一実施形態に係る、直線状のサーモウェル及び関連する熱電対を有する気化器装置の斜視切取図である。
【図５Ｂ】図５Ｂは、本発明の一実施形態に係る、直線状のサーモウェル及び関連する熱電対を有する気化器装置の斜視切取図である。
【発明を実施するための形態】
【００４８】
本発明の例示的で非限定的な実施形態は、以下に詳細に説明される。明確な理解を提供するために特定の構成及び寸法が説明されるが、開示された寸法及び構成は例示のみを目的として提供されることを理解されたい。当業者は、特に明記しない限り、本発明の精神及び範囲から逸脱することなく他の寸法及び構成を使用できることを理解するであろう。
【００４９】
本明細書で使用される場合、「実質的に」、「比較的」、「ほぼ」、「約」、及び「およそ」は、このように修飾された特性からの許容しうる変動を示すことを意図する相対的修飾語である。これらは、修飾する絶対値又は特性に限定されるものではなく、むしろ、このような物理的又は機能的特性に近づいたり近似したりするためのものである。
【００５０】
詳細な説明において、「１つの実施形態」、「一実施形態」、又は「実施形態において」への言及は、言及される特徴が本発明の少なくとも１つの実施形態に含まれることを意味する。さらに、「１つの実施形態」、「一実施形態」、又は「実施形態において」への別個の言及は、必ずしも同じ実施形態に言及しているものではないが、このような実施形態は、相互に排他的であると述べられない限り、当業者に容易に明らかである場合を除いて、相互に排他的ではない。したがって、本発明は、本明細書に記載の実施形態の任意の様々な組み合わせ及び／又は統合を含み得る。
【００５１】
本明細書で使用される用語は、特定の実施形態を説明することのみを目的とするものであり、本発明を限定することを意図するものではない。本明細書で使用される場合、単数形「ａ」、「ａｎ」及び「ｔｈｅ」は、文脈上明確に別途示されない限り、複数形も同様に包含することを意図する。さらに、基本用語「含む」及び／又は「有する」は、本明細書で使用される場合、述べられた特徴、整数、ステップ、動作、要素、及び／又はコンポーネントの存在を明示するが、少なくとも１つの他の特徴、整数、ステップ、動作、要素、コンポーネント、及び／又はそれらの群の存在又は追加を排除するものではないことを理解されたい。
【００５２】
本明細書で使用される場合、用語「含有する」、「含有している」、「含む」、「含んでいる」、「有する」、「有している」又はそれらの任意の他の変形は、非排他的な包含をカバーすることを意図することを理解されたい。例えば、一連の特徴を含むプロセス、方法、物品又は装置は、必ずしもそれらの特徴のみに限定されるわけではなく、明示的に列挙されないか又はこのようなプロセス、方法、物品又は装置に固有の他の特徴を含むことができる。
【００５３】
本明細書で使用される場合、値の範囲への言及は、明示的に反対のことが述べられない限り、上記範囲の終点を含むその範囲内の全ての値を包含することを意図することも理解される。
【００５４】
本明細書で使用される場合、「ガス」は、液体天然ガス及び液化天然ガスを含む任意のタイプのガス状の気化可能な炭化水素含有液体物質、それらのガス混合物、及び等価物を意味する。
【００５５】
本明細書で使用される場合、「接続」は、直接又は間接を問わず、物理的なもの、恒久的な固定、又は調整可能な取り付けを含む。したがって、特定されない限り、「接続」は、あらゆる作動的に機能する接続を包含することを意図する。
【００５６】
以下の説明では、本発明を実施することができる特定の例示的な実施形態の代表として例示の目的で提供される添付の図面を参照する。以下の例示された実施形態は、当業者が本発明を実施できるように十分に詳細に説明されている。他の実施形態を利用することができ、本発明の範囲から逸脱することなく、現在知られる構造的及び／又は機能的等価物に基づく構造的変更を行うことができることを理解されたい。
【００５７】
以下の詳細な説明を考慮すると、本明細書における本発明が、従来技術の問題を軽減しながら、効率を向上させた新規な液体気化装置及びその方法を提供することは、当業者には明らかになるはずである。
【００５８】
図１Ａ〜１Ｆは、本発明の一実施形態に係る気化器又は気化器装置１００の様々な図を示す。概要として、気化器装置１００は、気化器装置１００の内部に導入するための通路１１３にそれぞれ関連付けられた１つ以上の液体サンプル通路開口／ポート１０４をその上端に有する細長い管状本体１０２を含む。液体サンプルポート１０４は、軸方向に配置された液体サンプル導入ポート１０４Ａと径方向に配置された１つ以上の液体サンプル導入ポート１０４Ｒ、又は単に径方向に配置された複数の液体サンプル導入ポート１０４Ｒとを含むことができる。特に指定されない限り、液体サンプルポート１０４という用語は、ポート１０４Ｒ及び１０４Ａのいずれか１つに適用することができる。さらに、１つの実施形態において、気化器装置１００は、１つの径方向に配置された液体サンプル導入ポート１０４Ｒのみを含むことができる。２つ以上の開口／ポート１０４が含まれる場合、ＮＧＬ又はＬＮＧなどの液化炭化水素の吐出は、開口／ポート１０４のうち１つを介して行うことができる。液体サンプルが通路１１３又は開口／ポート１０４Ａを通り、開口／ポート１０４Ｒを通って流れると、液体サンプルの少なくとも一部は、本体１０２の下端からチャネル１２０の出口まで内部及び軸方向に延びる細長い段付き孔１３５内の空間により形成された気化器コア１３０に液体サンプルを送るために、軸方向及び内部に向けられた液体サンプルチャネル１２０に流れる。気化器コア１３０内を通過する液体サンプルが気化すると、気化したサンプルは、蒸気用環１３７を通過し、径方向に配向された蒸気出口通路１４０を通過して、蒸気吐出口ポート１１８を介して装置から出る。蒸気出口ポート１１８は、本体１０２の下端に近接して配置されている。
【００５９】
図１Ｄ及び１Ｅにおいて、デュアルポートの実施形態をより詳細に示す。図示するように、液体サンプル連通ポート１０４Ｒ及び関連する液体サンプル通路１１３は、本体１０２に対して概ね共通の断面平面において径方向及び直径方向に整列して配置されてもよいし、アクセスを制限する限定された空間である特定の幾何学的形状によって決定付けられる場合には、直交して配置されてもよい。ポート１０４Ｒは、流体入口ラインを気化器装置１００に嵌合継手（図示せず）で密封的に固定するために、ねじ切りすることができる。それに対応して、蒸気出口ポート１１８は、適切な継手（図示せず）を介してガス送出ラインを固定するために雌ねじを有してもよい。
【００６０】
特定の設備の幾何学的形状は、本体１０２の上部を通って軸方向に配置された液体サンプル導入ポート１０４Ａに適している可能性がある。図１Ｂに示されるように、未使用の場合、本体１０２の上部に配置された軸方向ポート１０４Ａは、シールねじ／プラグ要素１１６によってシールすることができる。ポート１０４Ａは、嵌合継手（図示せず）で流体入口ラインを気化器装置１００に密封的に固定するためにねじ切りすることができる。本実施形態は、特定の幾何学的形状に関係なく、フラッシュ蒸留用の気化装置１００の気化器コア１３０へ液体サンプルを導入するために、ポート１０４を介して軸方向及び内部に向けられたチャネル１２０に気化可能な液体を導入することを企図する。
【００６１】
ポート１０４を介して気化器装置１００に導入された液体サンプルは、軸方向チャネル１２０内に入って気化する。場合によっては、気化器コア１３０を通過しない液体サンプルを収容するために、吐出ポート１０４Ａ／Ｒを含むことが望ましい。したがって、本実施形態では、せき止め又は背圧によって発生する流量異常などを最小化及び／又は回避するために、入口ポート液体１０４Ａ／Ｒに対して配置された、吐出ポートとして機能するポート１０４Ａ／Ｒを、未使用の液体サンプルが通過するようにする。したがって、第２のポート１０４の存在により、入口が径方向に配置されているか、軸方向に配置されているかに関係なく、１つの入口ポート１０４を通ってハウジング１０２に入った過剰な液体が、別のポート１０４を通って気化していない液体として出ることができる。
【００６２】
ここで気化器装置１００の内部に目を向けると、液体サンプルチャネル１２０は、本体１０２を通って選択された距離だけ軸方向に延びて、液体サンプルを通路１１３から気化器コア１３０に送るための導管を確立する。図示した実施形態は、液体サンプルの流れの体積を制御するための調整可能な弁１０７の形態で示される液体流れ制御要素を含む。調整可能な計量弁１０７は、本体１０２の側面にねじ込まれ、チャネル１２０の長さに沿って垂直に、ポート１０４の下に配置された、径方向に配向されたボンネット１１１に取り付けられている。弁１０７は、チャネル１２０と交差するシート１１９に挿入するように寸法決めされた先細プランジャ１２１を有する。チャネル１２０流路の計量弁１０７による閉塞の程度は、調整要素１０９を介して調整可能である。溝付きねじ頭の形を取り得る調整要素１０９は、取り付けボンネット１１１に対して回転し、計量弁ステム１０７のプランジャをチャネル１２０に対して径方向に移動させる。手動調整要素１０９の自動化された代替手段として、弁１０７の位置の調整を制御するために作動可能なモータ（図示せず）に、弁１０７を関連付けることが挙げられる。径方向に調整可能な計量弁１０７は、チャネル１２０にアクセスして液体流サンプルの体積を調整し、例えばサンプルコンディショニングパネル内の気化装置１００にアクセスするときに、操作者が制御しやすくすることができる。調整可能な弁１０７、ボンネット１１１、及び先細プランジャ１２１の代わりに気化器装置１００に組み込むことができる代替の調整可能な計量弁４０２について、図４及び５を参照してさらに説明する。
【００６３】
本実施形態の注目すべき特徴は、外側の凹状の環状断熱ギャップ１０８であって、本体１０２内に一体的に形成され、液体サンプルポート１０４と気化器コア１３０との間に軸方向に配置されて、ギャップ１０８の上に本体１０２の第１のセグメントを形成し、ギャップの下に本体１０２の第２のセグメントを形成する、断熱ギャップ１０８に関する。その断熱能力を最大化するために、外側の環状ギャップ１０８は、一般的に、装置１００の中心軸に向かって軸方向チャネル１２０に接近し、本体１０２に対して径方向深さだけ延びる非平行な表面として画定される。図１Ａ〜１Ｄに示した実施形態において、ギャップの上面及び下面は、平坦な平面構成で内側へ向かって先細になっている。ギャップを画定するそれぞれの上面及び下面はまた、弧状、半円形などの代替の幾何学的形状を有してもよく、これらの形状は、平行に配置された対向面と比較して、熱放射の入射角を変化させ反射損失を改善する、ほぼ非平行な表面を提供する。気化装置１００の上端と気化器コア１３０との断熱性を強化するために、図示した実施形態において、選択的に取り外し可能な受動断熱材１０６が設置される。図示するように、受動断熱材１０６は、二股に分かれ、弾性Ｏリングなどの断熱材リテーナ１０５によってギャップ内に保持される。あるいは、断熱材１０６は、成形又は鋳造によってギャップ１０８内に恒久的に配置することができる。
【００６４】
断熱ギャップ１０８の非平行な輪郭又は先細りは、以下の利点のうち１つ以上を提供する。１）特に気化器コア１３０内の液体サンプルの気化によって発生する増大した圧力に対する抵抗に関して、気化器本体の構造的完全性及び強度を増加させること、２）断熱材１０６の表面とテーパ状断熱ギャップ１０８の対向表面との間の接触面積を最大化し、断熱材リテーナ１０５から加えられた圧縮径方向フープ力により潜在的な分離を最小化すること、３）断熱ギャップ１０８内の断熱材１０６と本体１０２との間に、それらの界面での凝縮形成のリスクを低減すること、４）断熱材１０６を形成する材料が引張破壊を回避することを可能にすること、５）より大きな開口表面積を提供することにより反射による放射熱除去を改善すること。図２に関して以下に説明するように、断熱材１０６は、ループ状の未加熱液体バイパスに基づくサブシステムなどの能動的冷却要素を提供するための特徴を任意選択で組み込んでよい。
【００６５】
受動断熱材１０６の物理的特性を考慮すると、発泡アルミナシリケート又はケイ酸カルシウムガラス／繊維、発泡セラミックスなどの、寸法的に安定し、比較的剛性を有し、熱伝導性が非常に低い材料で構成されることが好ましい。材料は、ギャップ１０８の構造に寸法的に対応する台形のトロイダル形状に形成／成形される。断熱材１０６は、チャネル１２０が本体１０２内で通過する軸方向セグメントに寸法的に対応する中央切り欠き／切り口をそれぞれ有する２つの対向可能な嵌合片に切断することができる。その結果、断熱材１０６は、テーパ状断熱ギャップ１０８により本体１０２の上部と下部との間に断熱を確立し、気化器コア１３０に到達する前の液体サンプルの望ましくない予備気化のリスクを最小限に抑える。気化器コア１３０から本体１０２の上部への熱移動の最小化及び／又は排除により、気化器コアの上方での予備気化が低減され、サンプルの均一性が向上し、サンプル分析の精度が向上する。さらに、このような予備気化に起因する、ポート１０４に近接する本体１０２の外部での氷形成の問題が低減される。
【００６６】
ここで、気化器装置１００が完全に組み立てられたときに気化器コア１３０に関連付けられた気化要素に目を向け、特に図１Ｆを参照すると、気化器コア１３０は、挿入カートリッジヒータ又は発熱体１３１と、熱を伝導するための真鍮、銅又は別の材料で作られた任意の金属シース１３２と、ステンレス鋼又は他の金属で作られた上部ヒータハウジング１３３と、を備え得る加熱アセンブリを含む。挿入カートリッジヒータ１３１は、給電ライン１１２によって給電され、両方とも本体１０２の基部から突出する熱電対１１０を介して制御される。あるいは、又はこれに加えて、本体１０２は、図４及び５に関してさらに説明されるように、気化器から出る気化したサンプルの温度を検出する追加の熱電対を有するサーモウェルを収容するために、出口ポート１１８の近くに孔及び／又は突起を有してよい。
【００６７】
熱電対１１０は、気化器装置１００の信号フィードバック及び制御を提供するために、アレンブラドリー８５０シリーズＰＬＣ又は等価のコントローラなどの比例−積分−微分（ＰＩＤ）コントローラ及び／又はプログラマブルロジックコントローラ（ＰＬＣ）（図示せず）に接続される。金属シース１３２は、ヒータ１３１からステンレス鋼製の上部ヒータハウジング１３３への熱の均一な分布を促進するために、カートリッジヒータ１３１に接合される。シースで覆われたカートリッジ１３１は、好ましくは圧縮によってぴったりと収容され、次に、ステンレス鋼製のハウジング１３３は、段付き孔１３５の中に挿入されるために、その内面に寸法的に適合する。ステンレス鋼製のヒータハウジング１３３の上端は、気化器コア１３０よりも直径が小さく、ギャップ１２８を残して軸方向位置に突出し、チャネル１２０からヒータハウジング１３３の外面と孔１３５の内面との間の領域へ液体サンプルが流れることができるようにする。非反応性のハウジング１３３の直径は、有孔の非反応性ステンレス鋼製ワイヤメッシュ１２９と、本体１０２とステンレス鋼製のハウジング１３３との間に蒸気用環１３７を確立するための段付きリングと、本体１０２に確実に密封して取り付けるための取り付け固定具１３６とを収容するように、上端から下端まで直径方向に段付きになっている。
【００６８】
有孔の非反応性ステンレス鋼製ワイヤメッシュ１２９は、ヒータハウジング１３３の上段部の周りに配置され、ハウジング１３３の段部と孔１３５の内面との間の領域を満たすように寸法決めされている。フラッシュ蒸留は、液体サンプルがワイヤメッシュと接触すると、電気カートリッジヒータ１３１から熱分布シース１３２を介して非反応性のハウジング１３３へ、及び非反応性のハウジングを通って均一に熱エネルギーを効率的に伝達することによって実現される。ワイヤメッシュ１２９は、様々な利点を提供する。まず、ワイヤメッシュ１２９の利用により、均一な液体流れ及び気化、並びに液体サンプル組成を表す実質的に均一な蒸気を得るために、ハウジング１３３から外向きに熱を伝達する熱伝達表面積が最大となるか、又は非常に大きな熱伝達表面積が実現される傾向が現れる。
【００６９】
より具体的には、メッシュ１２９は、ハウジング１０２を通過する、出口１１８での均一な流れの形成を助けるディフューザとして機能する。この均一な流れにより、ホットスポット及び気化器コア１３０内の付着物の形成を低減しながら、液体の加熱及び最終的な気化を強化する。さらに、メッシュ１２９が熱伝達路として機能し、それにより、熱がヒータハウジング１３３からハウジング１３３と孔１３５の内面との間の流体流路に運ばれることを可能にする。メッシュ１２９はまた、メッシュ１２９中及び周囲を通過する流体への熱伝達を促進する混合を促進する。したがって、ハウジング１３３から熱特性が増強されたメッシュ１２９を使用することで、ハウジング１３３と孔１３５の内面との間のキャビティ内の加熱された液体の表面積を効果的に増加させる。さらに、メッシュ１２９を通ってその周りにある流体の移動は、気化器コア１３０からの液体の流出を妨げ、それにより、移動する液体の十分な加熱を確保する。これらの有利な特徴は、気化器コア１３０を通過する液体の気化を強化することにより、下流の分析装置に損傷を与える可能性のある気化しない液体の送出を低減又は排除する。
【００７０】
メッシュ１２９又は高多孔質材料の使用により、カスケード入口液体サンプルへの熱伝達のための表面積を最大化し、ＬＮＧの場合、６００倍の体積膨張をもたらし、また、蒸気用環１３７を通って蒸気出口通路１４０及び蒸気サンプル吐出ポート１１８に出るための蒸気通過通路を確立する。メッシュ１２９は、管状要素として予め形成される場合、ハウジング１３３の上端の外面とギャップ１２８の下の孔１３５の内面との間の全ての空間を満たすのに十分な厚さを有するように寸法決めされるべきであり、これによりメッシュ１２９は、ハウジング１３３及び孔１３５の内面の両方との接触を維持する。１つの実施形態において、メッシュ１２９は、段付き孔１３５への挿入時に径方向圧縮を可能にするために、ハウジング１３３の周りに圧着されて螺旋状に巻き付けてよい。段付き孔１３５に挿入されると、メッシュ１２９は、巻き出すことができ、それによって、ハウジング１３３の外面と孔１３５の内面との間の領域を満たすことができる。
【００７１】
１つの実施形態において、メッシュ１２９は、図１Ｇに示されるように均一に曲げることができる。この例において、メッシュ１２９には一連の交互の湾曲部１３４が設けられ、メッシュがハウジング１３３の周りに巻かれたときに湾曲部１３４が後続の巻き付けで互いに入れ子にならないように形成されている。湾曲部１３４が入れ子になると、メッシュ１２９の膨張を妨げるとともに、メッシュ１２９の設置及び調整の容易さを低下させるため、望ましくない。メッシュ１２９のいずれかのエッジに非平行な直線状湾曲部（巻き解かれた場合）を提供し、メッシュの長さ全体にわたって交互方向に湾曲部を繰り返すことによって、メッシュ１２９は、これに付随して、入れ子になることを回避し、実質的に均一に膨張して、ハウジング１３３の外面と孔１３５の内面との間の領域を満たす。
【００７２】
ハウジング１０２はまた、気化器コア１３０を本体１０２内に密封するために第１の軸方向に配置されたＯリングシール１３８を含み、Ｏリングシールは、収集環１３７、及びステンレス鋼製のハウジング１３３の外面上の嵌合ねじとねじ込み可能に協働するために段付き孔１３５の基部に形成された雌ねじ１４１の近く、並びにそれらの間に配置される。気化したガスの漏れを防止するための完全なシールをさらに確保するために、本体１０２の環状面は、取り付け固定具１３６のステンレス鋼製のヒータ本体の対向する嵌合面を圧縮するためのＯリング１３９を含んでよい。図示された気化器装置１００の単一流路バージョンでは、液体サンプルは、ポート１０４を介して気化器装置１００に導入され（その一部は、計量弁ステム１０７によって指示された速度でチャネル１２０に入り）、ギャップ１０８によって画定された熱分離ゾーンを通過し、気化器コア１３０に入ってフラッシュ蒸留し、気化の圧力下で収集環１３７内を通過してポート１１８を通って気化器から出る。
【００７３】
したがって、上部を気化器装置１００のフラッシュ蒸留コア１３０から断熱することにより、気化器装置の上部に導入された液体サンプルの予備気化が回避される。
【００７４】
気化器ハウジング１０２は、ステンレス鋼又はアルミニウムなど耐食性超合金の単一ユニットから製造することができる。気化器コア１３０は、旋盤上の穿孔棒を使用してハウジング１０２の底部から段階的に穿孔され、環１３７及びワイヤメッシュ１２９のためにハウジング１０２内の空間を径方向に提供することができる。気化器コア１３０の軸方向長さは、ハウジング１３３が気化器コア１３０内に取り付けられるときにハウジング１３３の上部とチャネル１２０の出口との間にギャップ１２８が形成されるように、ハウジング１３３の軸方向長さよりもわずかに大きい長さに穿孔される。チャネル１２０は、既に穿孔された気化器コア１３０を通過するドリルビットで穿孔され、ハウジング１０２の上部から軸方向に穿孔される軸方向ポート１０４Ａまで延びることができる。径方向ポート１０４Ｒを軸方向ポート１０４Ａ及びチャネル１２０に接続するために、径方向ポート１０４Ｒは、ハウジング１０２の側面から径方向に穿孔することができ、通路１１３は、既に穿孔された径方向ポート１０４Ｒを使用して、より小さなビットで穿孔することができる。調整可能な弁１０７を提供するために、ハウジング１０２の軸方向長さに沿ってポート１０４と断熱ギャップ１０８との間に別の孔が形成される。次に、この孔を使用して、チャネル１２０の断面を横切って直交して形成された段付き孔を機械加工することにより、チャネル１２０内の流れを制御するための弁１０７のシートを提供することができる。
【００７５】
図２Ａ／２Ｂ及び図３Ａ／３Ｂには、気化器装置２００と３００の能動的冷却の実施形態がそれぞれ示されている。図２Ａ／２Ｂ及び３Ａ／３Ｂに示される実施形態は、図１に示される実施形態と類似しているが、気化器の上部への熱伝達及び液体サンプルの予備気化を行わないように保証するため、能動的冷却付属品をさらに有する。図２Ａ及び２Ｂは、断熱材１０６内に形成されたループ２０４への液体の流れを可能にするために、断熱ギャップ１０８の上方に位置するチャネル１２０からの統合された流れチャネル取り出し部２０２を示す。したがって、この実施形態において、チャネル１２０に導入された液体の一部は、チャネル２０２を通ってループ２０４に流れ、断熱材１０６に能動的冷却コンポーネントを提供する。ループ２０４を通過する液体のための出口（図示せず）は、液体吐出ポート１０４に接続されてもよいし、入口ポート１０４Ｒ又は通路１１３において液体供給流に再循環されてもよい。
【００７６】
図３Ａ及び３Ｂでは、能動的冷却ループ取り出し部３０２（点線で表す）が入口ポート１０４Ｒに接続され、断熱材１０６に埋め込まれてそれを囲む管３０４に液体サンプルを供給する。管３０４の出口（図示せず）は、気化器装置３００からの別の液体吐出ポート１０４Ｒに接続され、それを通る冷却液体の連続的な流れを提供することができる。この場合、取り出しは、断熱材１０８内に形成された環に巻き付けられて埋め込まれた入口ポート１０４Ｒに近接する流れチャネル取り出し部によって提供される。未加熱液体は、入口ポート１０４Ｒの入口で取り出されて、液体流体管を有する管状ループとして示される能動的冷却回路を通過し、吐出速度ループなどに接続された排出口／出口（図示せず）に到達する。このようにして、冷却液体の新鮮な供給を利用して冷却を増強し、本体１０２の上部の加熱を防止することができる。したがって、液体サンプルが気化器コア１３０に入る前の予備気化のリスクが最小限に抑えられる。
【００７７】
図４Ａは、本発明の一実施形態に係る、代替のテーパ状の計量弁ステム４０２を有する気化器装置４００の斜視切取図である。テーパ状の計量弁ステム４０２は、通路１１３と断熱ギャップ１０８との間で軸方向に本体１０２に径方向に穿孔されたキャビティ４０３内に設置される。テーパ状の計量弁ステム４０２は、密封してキャビティ４０３内の圧力制御を提供する複数のＯリング４０４、４０８などをその上に含むことができる。キャビティ４０３は、テーパ状の計量弁４０２が回転してキャビティ４０３内で所定の距離だけ径方向に横切ることを可能にするねじ部４０７を含むことができる。テーパ状の計量弁ステム４０２は、テーパ状の計量弁ステム４０２の周囲部分に対して直径が小さくなるように、円周方向に先細にされた実質的に中央の溝４０６をさらに含み、それによって液体が計量弁ステム４０２の周りを流れ、スロート又はチャネル１２０を通って流れることを可能にしている。チャネル１２０流路のテーパ状の計量弁ステム４０２による閉塞の程度は、調整要素４０１を介して調整可能である。溝付きねじ頭の形態をとりうる調整要素４０１は、ねじ４０７に対して回転して、計量弁ステム４０２の溝４０６をチャネル１２０に対して径方向に平行移動させる。したがって、液体の流れが制御される量は、チャネル１２０に対するテーパ状の溝４０６の位置によって決定される。手動調整要素４０１の自動化された代替手段は、弁ステム４０２の位置の調整を制御するために作動可能なモータ（図示せず）に関連付けられる計量弁ステム４０２を含む。キャップ又はプラグ４１０は、調整可能な要素４０１の反対側の計量弁４０２の端部に設置されてキャビティ４０３を囲み、計量弁ステム４０２の圧力による排出を防止し、キャビティ４０３内の計量弁４０２の移動を制限する。キャップ又はプラグ４１０は、気化器装置の外部にあってもよいし、本体１０２と面一になるようにキャビティ４０３内に含めてもよい。
【００７８】
図４Ｂは、本発明の一実施形態に係る、テーパ状の計量弁４０２を有する気化器装置４００の斜視切取図である。ここで、テーパ状の計量弁４０２は、図４Ａに関して説明されたものと同じであるため、同様の符号を繰り返す。ただし、図１Ｄ〜１Ｆに示される気化器装置１００の調整可能な計量弁１０７の実装形態は、テーパ状の計量弁４０２構造の代わりに気化器装置４００に組み込むことができることに留意されたい。
【００７９】
また、図４Ｂには、出口ポート１１８に近接し、図４Ａに示すようにヒータハウジング１３３から突出する機械加工されたボス４１２などの突起内に形成されたサーモウェル４１７内に設置された追加の熱電対４１６が含まれることが示される。サーモウェル４１７は、角度が付けられることにより、サーモウェル４１７の上部及びその内部の熱電対４１６は、高速流動領域で出口ポート１１８に近接して配置され、気化器装置４００を出るガスサンプルの温度に関して感度が向上し、且つ測定値がより正確になる。機械加工されたボス４１２が存在することにより、流量を実質的な方法で制限することなく温度感度を高める。
【００８０】
熱電対１１０と同様に、熱電対４１６は、気化器装置４００の信号フィードバック及び制御を提供するために、リード４１４を介してアレンブラドリー８５０シリーズＰＬＣ又は等価コントローラなどの比例−積分−微分（ＰＩＤ）コントローラ及び／又はプログラマブルロジックコントローラ（ＰＬＣ）（図示せず）に接続することができる。これにより、気化器装置４００を出るガスサンプルの温度を連続的に監視して制御するための制御ループを作成することができる。したがって、気化器装置４００に接続された機器に基づいて、温度を制御し、気化器装置４００から出るガスが、下流の機器に損傷を与えないことを保証することができる。出口ポート１１８の近くに熱電対４１６を含めることで、液体が気化器装置４００を通って流れていない非流動状態の結果として生じる可能性がある望ましくない高温を監視することができるという利点も提供する。したがって、そのような遠隔装置は、非流動状態に起因する高いヒータ温度を検出することができず、それにより、発熱体を破壊し気化器装置４００を動作不能にする可能性がある焼損の危険性があるため、内部に配置された熱電対４１６は、出口に取り付けられた感知装置による出口ガス温度の遠隔感知を改善する。ハウジング内に熱電対４１６を設置することで、多くの場合防爆設計コードを満たす必要がある制御システムへの配線をさらに簡素化しながら、気化器装置４００の組み立て中の故障モードを少なくする。
【００８１】
図５Ａ及び５Ｂは、本発明の一実施形態に係る、計量弁４０２を有する気化器装置５００の斜視切取図である。ここで、テーパ状の計量弁４０２は、図４Ａに関して説明されたものと同じであるため、同様の符号を繰り返す。ただし、図１Ｄ〜１Ｆに示される気化器装置１００の調整可能な計量弁１０７は、テーパ状の計量弁４０２構造の代わりに気化器装置５００に組み込むことができることに留意されたい。
【００８２】
また、図５Ａ及び５Ｂには、出口ポート１１８に近接し、ヒータハウジング１３３内に形成された直線状のサーモウェル５１７内に設置された追加の熱電対５１６が含まれることが示されている。サーモウェル５１７は、ハウジング１３３と平行に、及び出口ポート１１８に近接して延びるように軸方向に穿孔される。サーモウェル５１７内に設置された熱電対５１６は、高速流動領域で出口ポート４１８に近接して配置され、気化器装置５００から出るガスサンプルの温度に関して感度及び読み取り値が向上している。
【００８３】
熱電対１１０と同様に、熱電対５１６は、気化器装置５００の信号フィードバック及び制御を提供するために、リード５１４を介してアレンブラドリー８５０シリーズＰＬＣ又は等価コントローラなどの比例−積分−微分（ＰＩＤ）コントローラ及び／又はプログラマブルロジックコントローラ（ＰＬＣ）（図示せず）に接続することができる。これにより、気化器装置５００から出るガスサンプルの温度を連続的に監視して制御するための制御ループを作成することができる。したがって、気化器装置５００に接続された機器に基づいて、温度を制御し、気化器装置５００から出るガスが、下流の機器に損傷を与えないことを保証することができる。出口ポート１１８の近くに熱電対５１６を含めることで、液体が気化器装置５００を通って流れていない非流動状態の結果として生じる可能性がある望ましくない高温を監視することができるという利点も提供する。したがって、そのような遠隔装置は、非流動状態に起因する高いヒータ温度を検出することができず、発熱体を破壊し気化器装置５００を動作不能にする可能性がある焼損の危険性があるため、内部に配置された熱電対５１６は、出口に取り付けられた感知装置による出口ガス温度の遠隔感知を改善する。ハウジング内に熱電対５１６を設置することで、多くの場合防爆設計コードを満たす必要がある制御システムへの配線をさらに簡素化しながら、気化器装置５００の組み立て中の故障モードを少なくする。
【００８４】
上記能動的冷却サブシステムの代わりに、他の周知の冷却付属品を利用してもよいことを理解されたい。上記システムの認識された利点は、冷却のために少量の液体取り出しサンプルを迂回させ、迂回した量をパイプラインに再注入するか、又は周知の収集／再循環システムのいずれかに通過させるという単純な手段に依存することである。
【００８５】
上記追加又は代替の詳細のいずれかを組み込んだ装置又は方法は、以下の特許請求の範囲及びその等価物に基づいて決定される本発明の範囲内に含まれることが、当業者にとって理解されるべきである。本発明の他の態様、目的及び利点は、図面及び開示を与えられた当業者には明らかであるべきである。
【産業上の利用可能性】
【００８６】
本発明は、特に天然ガスの配給、輸送、管理輸送において、液体の予備気化を防ぎ、不完全な気化によるシステムの損傷に起因するダウンタイムを回避することによって、実質的に効率的で、完全で、均一な液体サンプルの単一流路による気化を通じて、正確なサンプリングを実現するのに有用である。本発明はまた、蒸気サンプル内の微量汚染物質を測定することにより、酸性ガスサンプルからのこれらの汚染物質の望ましくない放出を低減できるようにするために有用である。
【符号の説明】
【００８７】
１００、２００、３００、４００、５００  気化器装置
１０２  管状本体
１０４Ａ、１０４Ｒ  液体サンプル導入ポート
１０５  断熱材リテーナ
１０６  断熱材
１０７、４０２  計量弁
１０８  断熱ギャップ
１０９、４０１  調整要素
１１０、４１６、５１６  熱電対
１１１  ボンネット
１１２  給電ライン
１１３  通路
１１６  プラグ要素
１１８  蒸気出口ポート
１１９  シート
１２０  チャネル
１２１  先細プランジャ
１２８  ギャップ
１２９  ワイヤメッシュ
１３０  気化器コア
１３１  発熱体
１３２  金属シース
１３３  ハウジング
１３５  孔
１３６  取り付け固定具
１３７  蒸気用環
１３８  Ｏリングシール
１３９  Ｏリング
１４０  蒸気出口通路
１４１  雌ねじ
２０２  流れチャネル取り出し部
２０４  ループ
３０２  能動的冷却ループ取り出し部
３０４  管
４０３  キャビティ
４０４、４０８  Ｏリング
４０６  溝
４０７  ねじ部
４１０  キャップ又はプラグ
４１２  機械加工されたボス
４１４、５１４  リード
４１７、５１７  サーモウェル
【図１Ａ】
2022500664.tif 000003
【図１Ｂ】
2022500664.tif 000004
【図１Ｃ】
2022500664.tif 000005
【図１Ｄ】
2022500664.tif 000006
【図１Ｅ】
2022500664.tif 000007
【図１Ｆ】
2022500664.tif 000008
【図１Ｇ】
2022500664.tif 000009
【図２Ａ】
2022500664.tif 000010
【図２Ｂ】
2022500664.tif 000011
【図３Ａ】
2022500664.tif 000012
【図３Ｂ】
2022500664.tif 000013
【図４Ａ】
2022500664.tif 000014
【図４Ｂ】
2022500664.tif 000015
【図５Ａ】
2022500664.tif 000016
【図５Ｂ】
2022500664.tif 000017
【国際調査報告】
2022500664.tif 000018
2022500664.tif 000019